(57)【要約】【課題】玉箱を玉箱設置部（台）上の所定の位置に位置決めできるとともに、玉箱が玉箱設置部（台）から簡単に浮き上がることを防止することができる玉箱設置機構および計数装置を提供することを目的とする。【解決手段】玉箱設置機構３００は、玉箱１０６と、この玉箱１０６を設置する玉箱設置部（台）１０５とを備え、玉箱１０６の底部および玉箱設置部（台）１０５の上面に、玉箱１０６と玉箱設置部（台）１０５とを着脱可能に嵌合する嵌合手段３１０が設けられている。この嵌合手段３１０は、例えば、玉箱１０６の底部の所定の位置に形成された嵌合凹部１０９と、玉箱設置部（台）１０５の玉箱１０６を設置する上面に形成され、嵌合凹部１０９と弾性体１１０を介して嵌合する嵌合凸部２５１とから構成される。【選択図】図８
2008055059.tif 000002
【特許請求の範囲】
【請求項１】
パチンコ玉を貯留する玉箱と、
前記玉箱を所定の位置に設置可能な玉箱設置部と
を備える玉箱設置機構であって、
前記玉箱と前記玉箱設置部とを着脱可能に嵌合する嵌合手段を設けたことを特徴とする玉箱設置機構。
【請求項２】
前記嵌合手段が、弾性体を介して接触することを特徴とする請求項１記載の玉箱設置機構。
【請求項３】
前記嵌合手段が、前記玉箱の所定の位置に形成された嵌合凹部と、前記玉箱設置部に形成され、前記嵌合凹部と弾性体を介して嵌合する嵌合凸部とから構成されることを特徴とする請求項１記載の玉箱設置機構。
【請求項４】
前記嵌合手段が、前記玉箱の所定の位置に形成された嵌合凸部と、前記玉箱設置部に形成され、前記嵌合凸部と弾性体を介して嵌合する嵌合凹部とから構成されることを特徴とする請求項１記載の玉箱設置機構。
【請求項５】
前記弾性体が、少なくとも前記嵌合凹部の前記嵌合凸部と接触する部分または前記嵌合凸部の前記嵌合凹部と接触する部分に設けられることを特徴とする請求項３または４記載の玉箱設置機構。
【請求項６】
前記嵌合手段が、前記玉箱の所定の位置に形成された嵌合凹部と、前記玉箱設置部に形成され、前記嵌合凹部と嵌合する嵌合凸部と、前記嵌合凹部の内側部に設けられた凹部の底部とバネを介して接続された突出部材と、前記嵌合凸部の側部に形成され、前記突出部材と係合する係合凹部とを備え、前記嵌合凸部が、前記嵌合凹部内に着脱可能に嵌合することを特徴とする請求項１記載の玉箱設置機構。
【請求項７】
前記嵌合手段が、前記玉箱の所定の位置に形成された嵌合凹部と、前記玉箱設置部に形成され、前記嵌合凹部と嵌合する嵌合凸部と、前記嵌合凸部の側部に設けられた凹部の底部とバネを介して接続された突出部材と、前記嵌合凹部の内側部に形成され、前記突出部材と係合する係合凹部とを備え、前記嵌合凸部が、前記嵌合凹部内に着脱可能に嵌合することを特徴とする請求項１記載の玉箱設置機構。
【請求項８】
前記嵌合手段が、前記玉箱の所定の位置に形成された嵌合凹部と、前記玉箱設置部に形成され、前記嵌合凹部と嵌合する嵌合凸部と、前記嵌合凹部の内側部に設けられ、前記嵌合凸部の嵌合方向に移動可能な係合凸部と、前記嵌合凸部の側部に形成され、前記係合凸部と係合する係合凹部とを備え、前記嵌合凸部が、前記嵌合凹部内に着脱可能に嵌合することを特徴とする請求項１記載の玉箱設置機構。
【請求項９】
前記嵌合手段が、前記玉箱の所定の位置に形成された嵌合凹部と、前記玉箱設置部に形成され、前記嵌合凹部と嵌合する嵌合凸部と、前記嵌合凸部の側部に設けられ、前記嵌合凸部の嵌合方向に移動可能な係合凸部と、前記嵌合凹部の内側部に形成され、前記係合凸部と係合する係合凹部を備え、前記嵌合凸部が、前記嵌合凹部内に着脱可能に嵌合することを特徴とする請求項１記載の玉箱設置機構。
【請求項１０】
玉箱設置部に設置された玉箱から排出されたパチンコ玉を計数する計数機構を備える計数機であって、
請求項１乃至９のいずれか１項記載の玉箱設置機構を具備することを特徴とする計数機。
【発明の詳細な説明】
【技術分野】
【０００１】
本発明は、例えば、パチンコ機毎に設けられ、遊技客が獲得した遊技媒体を貯留する玉箱およびこの玉箱を設置する玉箱設置部における玉箱設置機構およびこの玉箱設置機構を備えた計数装置に関する。
【背景技術】
【０００２】
近年、パチンコ機の各台毎にパチンコ玉を計数する計数機が付設されている。この従来のパチンコ機用の計数機では、開閉可能なシャッタを設け、このシャッタを開くことで、玉箱に溜まったパチンコ玉を計数部に排出している（例えば、特許文献１参照。）。また、従来の玉箱は、玉箱の底部と、玉箱設置部の上面の突起部とを略一致させ、単に略所定位置に位置決めされていた。
【特許文献１】特開平９−３１３７２９号公報
【発明の開示】
【発明が解決しようとする課題】
【０００３】
上記した従来の玉箱は、玉箱の底部と、玉箱設置部の上面の突起部とを略一致させ、単に略所定位置に位置決めされているだけなので、例えば遊技客が玉箱の長手方向の一端部などに手をかけるなどして押圧すると、この一端部側の底部を支点として、玉箱の長手方向の他端部が浮き上がってしまうことがあった。このように玉箱の他端部が浮き上がると、玉箱からパチンコ玉を下方に排出すための玉箱シャッタを開口させる駆動力を伝達する伝達機構が玉箱から外れ、玉箱シャッタを開くことができないという問題があった。
【０００４】
また、このような玉箱の玉箱シャッタを開くことができない状態で、例えば大当りが発生した場合、玉箱にパチンコ玉が満杯になっても計数機側に排出することができず、さらにはパチンコ機の下皿がパチンコ玉でいっぱいとなり、パチンコ玉を発射できないために大当りが終了してしまうという問題があった。また、このような玉箱の玉箱シャッタを開くことができない状態になると、店員が呼ばれ、店員がこの状態を解消するため、店員の作業工数が増加するという問題もあった。
【０００５】
そこで、本発明では、このような課題を解決するためになされたもので、玉箱を玉箱設置部上の所定の位置に位置決めできるとともに、玉箱が玉箱設置部から簡単に浮き上がることを防止することができる玉箱設置機構および計数装置を提供することを目的とする。
【課題を解決するための手段】
【０００６】
上記目的を達成するために、本発明の玉箱設置機構は、パチンコ玉を貯留する玉箱と、前記玉箱を所定の位置に設置可能な玉箱設置部とを備える玉箱設置機構であって、前記玉箱と前記玉箱設置部とを着脱可能に嵌合する嵌合手段を設けたことを特徴とする。
【０００７】
この玉箱設置機構によれば、玉箱と玉箱設置部とを着脱可能に嵌合する嵌合手段を設けることによって、簡単に玉箱が玉箱設置部から外れることを防止することができる。このため、例えば、遊技客が玉箱の長手方向の一端部などに手をかけるなどして押圧しても、この一端部側の底部を支点として、玉箱の長手方向の他端部が浮き上がることはない。
【０００８】
なお、玉箱設置部として、例えば、所定の位置に玉箱を置くためのガイドや溝を、遊技機前下方に設置された膳板（カウンタ）、その膳板（カウンタ）上に設けられた台または島端に配置された計数機、に設けた例を例示できる。
【０００９】
また、本発明の玉箱設置機構は、前記嵌合手段が、弾性体を介して接触することを特徴とする。
【００１０】
この玉箱設置機構によれば、嵌合手段が、弾性体を介して接触することで、簡単に玉箱が玉箱設置部から外れることを防止することができる。
【００１１】
また、本発明の玉箱設置機構は、前記嵌合手段が、前記玉箱の所定の位置に形成された嵌合凹部と、前記玉箱設置部に形成され、前記嵌合凹部と弾性体を介して嵌合する嵌合凸部とから構成されることを特徴とする。また、前記嵌合手段が、前記玉箱の所定の位置に形成された嵌合凸部と、前記玉箱設置部に形成され、前記嵌合凸部と弾性体を介して嵌合する嵌合凹部とから構成されることを特徴とする。また、前記弾性体が、少なくとも前記嵌合凹部の前記嵌合凸部と接触する部分または前記嵌合凸部の前記嵌合凹部と接触する部分に設けることが好ましい。
【００１２】
この玉箱設置機構によれば、玉箱の所定の位置に嵌合凹部を設け、玉箱設置部に嵌合凸部を設けることで、または、玉箱の所定の位置に嵌合凸部を設け、玉箱設置部に嵌合凹部を設けることで、簡単に玉箱が玉箱設置部から外れることを防止することができる。
【００１３】
また、本発明の玉箱設置機構は、前記嵌合手段が、前記玉箱の所定の位置に形成された嵌合凹部と、前記玉箱設置部に形成され、前記嵌合凹部と嵌合する嵌合凸部と、前記嵌合凹部の内側部に設けられた凹部の底部とバネを介して接続された突出部材と、前記嵌合凸部の側部に形成され、前記突出部材と係合する係合凹部とを備え、前記嵌合凸部を、前記嵌合凹部内に着脱可能に嵌合させてもよい。また、前記嵌合手段が、前記玉箱の所定の位置に形成された嵌合凹部と、前記玉箱設置部に形成され、前記嵌合凹部と嵌合する嵌合凸部と、前記嵌合凸部の側部に設けられた凹部の底部とバネを介して接続された突出部材と、前記嵌合凹部の内側部に形成され、前記突出部材と係合する係合凹部とを備え、前記嵌合凸部を、前記嵌合凹部内に着脱可能に嵌合させてもよい。さらに、前記嵌合手段が、前記玉箱の所定の位置に形成された嵌合凹部と、前記玉箱設置部に形成され、前記嵌合凹部と嵌合する嵌合凸部と、前記嵌合凹部の内側部に設けられ、前記嵌合凸部の嵌合方向に移動可能な係合凸部と、前記嵌合凸部の側部に形成され、前記係合凸部と係合する係合凹部とを備え、前記嵌合凸部を、前記嵌合凹部内に着脱可能に嵌合させてもよい。また、前記嵌合手段が、前記玉箱の所定の位置に形成された嵌合凹部と、前記玉箱設置部に形成され、前記嵌合凹部と嵌合する嵌合凸部と、前記嵌合凸部の側部に設けられ、前記嵌合凸部の嵌合方向に移動可能な係合凸部と、前記嵌合凹部の内側部に形成され、前記係合凸部と係合する係合凹部を備え、前記嵌合凸部を、前記嵌合凹部内に着脱可能に嵌合させてもよい。
【００１４】
また、上記した玉箱設置機構は、玉箱設置部に設置された玉箱から排出されたパチンコ玉を計数する計数機構を備える計数機に具備されてもよい。
【発明の効果】
【００１５】
本発明の玉箱設置機構および計数装置によれば、玉箱を玉箱設置部上の所定の位置に位置決めできるとともに、玉箱が玉箱設置部から簡単に浮き上がることを防止することができる。
【発明を実施するための最良の形態】
【００１６】
以下、本発明の一実施の形態について図面を参照して説明する。
【００１７】
（第１の実施の形態）
図１は、本発明に係る第１の実施の形態の玉箱設置機構３００を有する計数装置１０を備えたパチンコ機２０を複数並設してなるパチンコ島１００を示す斜視図である。図２は、図１に示したパチンコ島１００の側面図である。
【００１８】
図１に示すように、パチンコ島１００は、つま板１０１間に複数のパチンコ機２０、２０…が並設されており、パチンコ機２０、２０…間には、台間機３０、３０…が挟まれた状態で配置され、その上部に幕板１０２が設けられている。この幕板１０２には、例えば、獲得した遊技媒体数に対応した表示機能を備える表示機２０５が設置され、その表示機２０５の下部には、例えば、スランプグラフ、スタート回数、大当たり回数などの情報を表示するデータ表示機４０が設置されている。
【００１９】
また、パチンコ機２０、２０…の前方には、各パチンコ機２０、２０…に対応して遊技客が座る椅子１０３、１０３…が配置されている。さらに、各パチンコ機２０、２０…の下方に前方に突き出し、パチンコ島１００に長手方向に設けられたカウンタ１０４（膳板ともいう）上には、各パチンコ機２０、２０…のそれぞれに対応して、パチンコ島１００側の基体としても機能する玉箱設置部（台）１０５、１０５…が設置されている。また、各玉箱設置部（台）１０５、１０５…上には玉箱１０６、１０６…が配置されている。また、カウンタ１０４の下方側には、玉箱１０６からのパチンコ玉を計数する計数装置１０が設置されている。
【００２０】
また、パチンコ機２０の表面側には、台本体２００、台本体２００の前面のほぼ中央部にほぼ水平に設置される上皿２０１、この上皿２０１の下部にほぼ水平に設置される玉受け皿２０２、この玉受け皿２０２の右方に設置されるハンドル２０３が設けられている。また、玉受け皿２０２の下部には、所定の距離をおいて玉箱１０６が位置する。
【００２１】
パチンコ機２０は、上皿２０１に入れられたパチンコ玉を、ハンドル２０３を回動することで台本体２００内に打ち込み、入賞して獲得した出玉を上皿２０１および玉受け皿２０２で受ける。この玉受け皿２０２の下部には、開口を有し、この開口を閉じている受け皿シャッタ（図示しない）を、玉受け皿２０２の前面に設けられたシャッタ操作部２０４を遊技客が所定方向に動作することで開くことができる。この受け皿シャッタが開くことで、玉受け皿２０２内のパチンコ玉を、玉受け皿２０２の下方の玉箱１０６内に排出可能となる。
【００２２】
また、図２に示すように、パチンコ機２の裏面側には、アウト玉を排出するアウト玉排出部２１０、このアウト玉排出部２１０から排出されたアウト玉を受け取るアウトボックス２１１、このアウトボックス２１１のアウト玉排出孔の下方に、アウト玉数を検出するためのアウトメータ２１２が設けられている。このアウトメータ２１２で、検知されたアウト玉は、アウトボックス２１１の底部に設けられた排出口に接続された排出パイプ２１３によって、排出樋２１４に導かれ、回収される。また、計数装置１０によって計数されたパチンコ玉は、誘導通路２１８を介して排出樋２１４に導かれ、回収される。
【００２３】
また、パチンコ機２０からの各種信号配線は、例えば、台間機３０の裏面に設けられた入力コネクタ２１５に接続され、また、計数装置１０やアウトメータ２１２からの信号配線は、台間機３０の裏面下部に設けられた下部入力コネクタ２１６に接続される。また、パチンコ機２０の外部に、出玉信号としてパチンコ機２０の上皿２０１へ供給される玉数を計数するセーフメータ（図示しない）が設置される。なお、台間機３０がいわゆるユニットの場合、対応するパチンコ機２０がパチンコ玉を貸し出す、いわゆるＣＲ機であり、セーフメータを用いずに、パチンコ機２０の特定領域への入賞の結果払い出される賞玉をパチンコ機２０からの出力信号によりカウントできる。ＣＲ機の場合、貸玉数を除いた入賞に基づき、払い出される賞玉に相当するセーフ相当出力がパチンコ機から出力される。また、パチンコ機２０の貸玉ボタンを押すことによるパチンコ機２０からの貸玉数は、台間機３０からの出力信号によりカウントできる。セーフメータまたはパチンコ機２０からの出力信号によりカウントされたパチンコ玉数である賞玉数から、台間機３０やパチンコ機２０からの貸玉数や貸玉数に基づく金額情報などの信号による売上と、アウトメータ出力信号による発射玉数とを減算した情報が遊技ホールにおける損益情報として演算できる。ここで、アウトとは、発射玉を意味し、セーフとは、パチンコ機２０への供給玉、つまりパチンコ機２０の上皿２０１への供給玉を意味する。なお、上記した各種信号配線は、台間機３０を介して、例えば島コンピュータ（図示しない）に接続される一例を示したが、この構成に限られるものではなく、例えば、計数装置１０からの情報を直接島コンピュータに出力するようにしてもよい。
【００２４】
次に、本発明に係る第１の実施の形態の玉箱設置機構３００について、図を参照して説明する。
【００２５】
図３は、カウンタ１０４上に各パチンコ機２０に対応して設けられた玉箱設置部（台）１０５および玉箱１０６を示す斜視図である。図４は、玉箱１０６を取り除いた状態のカウンタ１０４上に設けられた玉箱設置部（台）１０５を示す斜視図である。図５および図６は、計数装置１０側にパチンコ玉を導出する際の動作の説明をするための玉箱設置部（台）１０５の斜視図である。図７は、玉箱１０６の底部の構成を示す平面図である。図８は、図３のＡ−Ａ断面を示す図である。図９は、玉箱１０６の底部の他の構成を示す平面図である。
【００２６】
図３に示すように、玉箱設置機構３００は、パチンコ玉を貯留する玉箱１０６と、玉箱１０６を設置する玉箱設置部（台）１０５とを備え、玉箱１０６の底部および玉箱設置部（台）１０５の上面に、玉箱１０６と玉箱設置部（台）１０５とを着脱可能に嵌合する嵌合手段３１０が設けられている。
【００２７】
図３〜図６に示すように、パチンコ機２０の下方前面のカウンタ１０４に設けられた玉箱設置部（台）１０５は、基板２５０と、この基板２５０上に玉箱１０６の裏面の嵌合手段３１０の一部として機能する嵌合凹部１０９に対応して設けられ、玉箱１０６と着脱可能に嵌合する嵌合手段３１０の一部として機能する嵌合凸部２５１と、玉箱１０６の底部に設けられた玉箱シャッタ１０８と嵌合してパチンコ玉を排出するための開口部１０７、２５２を開閉する玉箱設置部（台）シャッタ２５３と、この玉箱設置部（台）シャッタ２５３を遊技客に作動させるためのシャッタ開閉操作部２５４とを備えている。また、玉箱設置部（台）１０５は、例えば、計数装置１０を係止可能であり、計数装置１０の係止部を係止する係止板２５６を備えている。また、玉箱設置部（台）１０５には、計数装置１０に電力を供給したり、各種制御信号の交信をしたりするための配線と接続された接続コネクタ２５５が設けらている。この接続コネクタ２５５は、計数装置１０に設けられた接続コネクタと嵌合可能に構成されている。
【００２８】
図５および図６に示すように、シャッタ開閉操作部２５４は、遊技客が操作する操作部２５４ａと、この操作部２５４ａを一端部とし、回転軸２５４ｂに回転可能に支持され、他端が玉箱設置部（台）シャッタ２５３とリンク機構によって接続された回転部材２５４ｃと、この回転部材２５４ｃの回転軸２５４ｂより他端側に一端が接続されたバネ部材２５４ｄとから主に構成されている。また、玉箱設置部（台）シャッタ２５３は、玉箱設置部（台）シャッタガイド２５７、２５７によって、玉箱設置部（台）１０５の長手方向（図５および図６の左右方向）に移動可能に支持されている。
【００２９】
図６に示すように、バネ部材２５４ｄを引張る方向、すなわち玉箱設置部（台）１０５を上方からみたときに、回転軸２５４ｂを中心に回転部材２５４ｃを右回りに回転させる方向に作動させると、玉箱設置部（台）シャッタ２５３と嵌合する玉箱シャッタ１０８も玉箱設置部（台）シャッタ２５３とともに、玉箱１０６の底部外面１０６ａと玉箱設置部（台）１０５の上面２５０ａとの間を摺動し、開口部１０７、２５２が露出される。そして、開口部１０７、２５２が露出されることにより、玉箱１０６内のパチンコ玉が下方に排出される。また、バネ部材２５４ｄの復元力により玉箱設置部（台）シャッタ２５３が開口部２５２を覆う方向に移動する際には、玉箱シャッタ１０８は、玉箱設置部（台）シャッタ２５３とともに移動し、玉箱１０６の開口部１０７を閉鎖する。なお、開口部１０７、２５２の形状は、パチンコ玉がスムーズに下方に排出可能な形状であればよく、例えば矩形、円形、楕円形などの形状に形成される。
【００３０】
ここで、嵌合手段３１０について説明する。
【００３１】
図７および図８に示すように、嵌合手段３１０は、玉箱１０６の底部の所定の位置に形成された嵌合凹部１０９と、玉箱設置部（台）１０５の玉箱１０６を設置する上面に形成され、嵌合凹部１０９と嵌合する嵌合凸部２５１とを備えている。また、嵌合凹部１０９と嵌合凸部２５１が接触する面には、弾性体１１０が介在し、この弾性体１１０を介して嵌合凹部１０９と嵌合凸部２５１とが着脱可能に嵌合している。
【００３２】
また、嵌合凹部１０９は、玉箱１０６の底部におけるカウンタ１０４の長手方向の両端部に、カウンタ１０４の長手方向に対してほぼ垂直な方向に形成されている。また、嵌合凸部２５１は、この嵌合凹部１０９に嵌合可能なように、玉箱設置部（台）１０５の上面におけるカウンタ１０４の長手方向の両端部に、カウンタ１０４の長手方向に対してほぼ垂直な方向に形成されている。
【００３３】
なお、ここでは、弾性体１１０は、嵌合凸部２５１と接触する嵌合凹部１０９の内面に設けられている。この弾性体１１０を介在させることで、嵌合凸部２５１は外側から内側への押圧を受け、嵌合凹部１０９は内側から外側への押圧を受けて嵌合している。このため、例えば、遊技客が玉箱１０６の長手方向の一端部などに手をかけるなどして押圧しても、この一端部側の底部を支点として、玉箱１０６の長手方向の他端部が浮き上がることはない。この弾性体１１０は、例えば、ゴム材料やエラストマなどの弾性材料で構成される。
【００３４】
ここで、弾性体１１０の弾性力により、嵌合凸部２５１を外側から内側への押圧し、嵌合凹部１０９を内側から外側への押圧するために、嵌合凸部２５１の幅Ｗ１は、嵌合凹部１０９の内面に弾性体１１０を設けた後の嵌合凹部１０９の幅Ｗ２よりも若干広く、また、長手方向の長さＬ１は、嵌合凹部１０９の内面に弾性体１１０を設けた後の嵌合凹部１０９の長手方向の長さＬ２よりも若干長いことが好ましい（図５および図７参照）。なお、幅Ｗ１は、弾性体１１０を設けていない状態における嵌合凹部１０９の内面の幅以上となることはなく、また、長さＬ１は、弾性体１１０を設けていない状態における嵌合凹部１０９の内面の長手方向の長さ以上となることはない。
【００３５】
なお、玉箱１０６の底部に設けられた嵌合凹部１０９は、図９に示すように、カウンタ１０４の長手方向に対してほぼ垂直な方向に、所定の間隔をおいて複数並べて構成されてもよい。
【００３６】
ここで、上記した第１の実施の形態では、玉箱１０６の底部に嵌合凹部１０９を設け、玉箱設置部（台）１０５の上面に嵌合凸部２５１を設けた一例を示したが、玉箱１０６の底部に嵌合凸部を設け、玉箱設置部（台）１０５の上面に嵌合凹部１０９を設けてもよい。また、上記した実施の形態では、弾性体１１０を嵌合凹部１０９の内面に設けた一例を示したが、弾性体１１０を嵌合凹部１０９と嵌合する嵌合凸部２５１の表面に設けてもよい。さらに、弾性体１１０は、嵌合凹部１０９の内面および嵌合凸部２５１の表面の双方に設けられてもよい。
【００３７】
また、上記した実施の形態のように、嵌合凹部１０９が、玉箱１０６の底部におけるカウンタ１０４の長手方向の両端部に、カウンタ１０４の長手方向に対してほぼ垂直な方向に形成され、嵌合凸部２５１が、嵌合凹部１０９に嵌合可能なように、玉箱設置部（台）１０５の上面におけるカウンタ１０４の長手方向の両端部に、カウンタ１０４の長手方向に対してほぼ垂直な方向に形成されることが好ましいが、この構成に限られるものではない。例えば、この構成に加えて、玉箱１０６の前面側や背面側の底部におけるカウンタ１０４の長手方向に沿って嵌合凹部１０９を形成し、この嵌合凹部１０９に嵌合可能なように、玉箱設置部（台）１０５の上面におけるカウンタ１０４の長手方向に沿って嵌合凸部２５１を形成してもよい。
【００３８】
次に、嵌合手段３１０の他の構成について、図を参照して説明する。
【００３９】
図１０は、嵌合手段３１０の他の構成における図３のＡ−Ａ断面に対応する断面を示す図であり、図１１は、図１０においてＸで示した部分の断面を拡大した図である。また、図１２は、嵌合手段３１０の他の構成における図３のＡ−Ａ断面に対応する断面を示す図であり、図１３は、図１２においてＹで示した部分の断面を拡大した図である。
【００４０】
図１０および図１１に示すように、嵌合凹部１０９の内面および／または嵌合凸部２５１の表面に、弾性体１１０を設ける代わりに、嵌合凹部１０９の内側面１０９ａに凹部１２０を形成し、この凹部１２０の底面と弾性部材１２１を介して接続された突出部材１２２を設け、さらに、嵌合凸部２５１の側面２５１ａに突出部材１２２と係合する係合凹部１３０を設けてもよい。すなわち、嵌合手段３１０がラッチ機構で構成されている。なお、弾性部材１２１は、バネなどで構成される。
【００４１】
玉箱１０６を玉箱設置部（台）１０５上の所定の位置に設置する際、嵌合凸部２５１が嵌合凹部１０９に挿入し、嵌合凹部１０９の内側面１０９ａの凹部１２０から弾性部材１２１の弾性力によって突出部材１２２が、嵌合凸部２５１の側面２５１ａの係合凹部１３０内に突出し係合する。一方、玉箱１０６を玉箱設置部（台）１０５上から取り外す際には、嵌合凹部１０９が上方に移動することにより、突出部材１２２が凹部１２０内に押し込まれ、係合凹部１３０との係合が解除される。これによって、玉箱１０６の嵌合凹部１０９と玉箱設置部（台）１０５の嵌合凸部２５１との嵌合が解除され、玉箱１０６が玉箱設置部（台）１０５上から取り外される。
【００４２】
なお、ここでは、嵌合凹部１０９の内側面１０９ａに凹部１２０を形成し、この凹部１２０の底面と弾性部材１２１を介して接続された突出部材１２２を設け、さらに、嵌合凸部２５１の側面２５１ａに突出部材１２２と係合する係合凹部１３０を設けた一例を示したが、この構成に限られるものではない。嵌合凸部２５１の側面２５１ａに凹部を形成し、この凹部の底面と弾性部材を介して接続された突出部材を設け、嵌合凹部１０９の内側面１０９ａにこの突出部材と係合する係合凹部を設けてもよい。
【００４３】
また、図１２および図１３に示すように、嵌合凹部１０９の内面および／または嵌合凸部２５１の表面に、弾性体１１０を設ける代わりに、嵌合凹部１０９の内側面１０９ａに嵌合凸部２５１の嵌合方向に移動可能な係合凸部１３５を設け、さらに、嵌合凸部２５１の側面２５１ａに係合凸部１３５と係合する係合凹部１３６を設けてもよい。係合凸部１３５は、例えば回転軸１３５ａを中心にして一方向（図１３では左回り）に回転可能に設けられたワンウェイギヤなどで構成される。また、図示しない解除ボタンを押すことで、他方向（図１３では右回り）に回転可能となる。なお、このワンウェイギヤの各歯には、上記したラッチ機構と同様の機構が設けられ、各歯は、ギヤの中心に向かう方向に押し込まれたり、ギヤの半径方向外側に向かう方向に押し出されたりすることが可能な構成となっている。
【００４４】
玉箱１０６を玉箱設置部（台）１０５上の所定の位置に設置する際、嵌合凸部２５１が嵌合凹部１０９に挿入し、嵌合凹部１０９の内側面１０９ａから突出する係合凸部１３５が、嵌合凸部２５１の側面２５１ａの係合凹部１３０内に突出して係合する。一方、玉箱１０６を玉箱設置部（台）１０５上から取り外す際には、図示しない解除ボタンを押して係合凸部１３５を他方向（図１３では右回り）に回転可能とし、嵌合凹部１０９が上方に移動することにより、係合凸部１３５が他方向に回転し、係合凹部１３６との係合が解除される。これによって、玉箱１０６の嵌合凹部１０９と玉箱設置部（台）１０５の嵌合凸部２５１との嵌合が解除され、玉箱１０６が玉箱設置部（台）１０５上から取り外される。
【００４５】
なお、ここでは、嵌合凹部１０９の内側面１０９ａに係合凸部１３５を設け、さらに、嵌合凸部２５１の側面２５１ａに係合凸部１３５と係合する係合凹部１３６を設けた一例を示したが、この構成に限られるものではない。嵌合凸部２５１の側面２５１ａに係合凸部を設け、嵌合凹部１０９の内側面１０９ａにこの係合凸部と係合する係合凹部を設けてもよい。
【００４６】
上記したように、本発明に係る第１の実施の形態の玉箱設置機構３００によれば、玉箱１０６の底部および玉箱設置部（台）１０５の上面に、玉箱１０６と玉箱設置部（台）１０５とを着脱可能に嵌合する嵌合手段３１０を設けることによって、玉箱１０６を玉箱設置部（台）１０５上の所定の位置に位置決めできるとともに、簡単に玉箱１０６が玉箱設置部（台）１０５から外れることを防止することができる。このため、例えば、遊技客が玉箱１０６の長手方向の一端部などに手をかけるなどして押圧しても、この一端部側の底部を支点として、玉箱１０６の長手方向の他端部が浮き上がることはない。これによって、玉箱１０６の玉箱シャッタ１０８を常時開くことが可能となる。また、玉箱１０６の浮き上がりにより、玉箱１０６の玉箱シャッタ１０８が開かなくなるというトラブルを解消できるので、店員の作業効率を向上させることができる。
【００４７】
次に、上記した玉箱設置機構３００を有する計数装置１０の一例を説明する。
【００４８】
ここで、図１４は、玉箱設置部（台）１０５に計数装置１０を取り付ける際のカウンタ１０４の長手方向からの平面図である。ここで、取り付けられる計数装置１０は、特に限定されるものではなく、公知の計数装置が取り付けられる。
【００４９】
前述したように、玉箱設置部（台）１０５は、計数装置１０に設けられた係止部４４１を係止する係止板２５６を備えている。この係止板２５６には、計数装置１０の係止部４４１を係止するための開口部２５６ａが形成されている。また、玉箱設置部（台）１０５には、計数装置１０に電力を供給したり、各種制御信号の交信をしたりするための配線と接続された接続コネクタ２５５が設けられている。この接続コネクタ２５５は、計数装置１０に設けられた接続コネクタ４６０と嵌合可能に構成されている。そして、計数装置１０の係止部４４１を玉箱設置部（台）１０５の係止板２５６に係止することで、計数装置１０が玉箱設置部（台）１０５に係止される。
【００５０】
なお、図示しないが、計数装置１０の上部には、計数装置シャッタが設けられ、玉箱シャッタ１０８および玉箱設置部（台）シャッタ２５３の開閉に連動して開閉するように構成されている。そして、玉箱シャッタ１０８および玉箱設置部（台）シャッタ２５３が開くことによって、計数装置１０内に玉箱１０６からのパチンコ玉が流入し、計数される。また、図２に示すように、計数装置１０によって計数されたパチンコ玉は、誘導通路２１８を介して排出樋２１４に導かれ、回収される。
【００５１】
上記した玉箱設置機構３００を有する計数装置１０では、上記した玉箱設置機構３００と同様の作用効果を得ることができる。すなわち、玉箱１０６の底部および玉箱設置部（台）１０５の上面に、玉箱１０６と玉箱設置部（台）１０５とを着脱可能に嵌合する嵌合手段３１０が設けることによって、玉箱１０６を玉箱設置部（台）１０５上の所定の位置に位置決めできるとともに、簡単に玉箱１０６が玉箱設置部（台）１０５から外れることを防止することができる。このため、例えば、遊技客が玉箱１０６の長手方向の一端部などに手をかけるなどして押圧しても、この一端部側の底部を支点として、玉箱１０６の長手方向の他端部が浮き上がることはない。これによって、玉箱１０６の玉箱シャッタ１０８を常時開くことが可能となる。また、玉箱１０６の浮き上がりにより、玉箱１０６の玉箱シャッタ１０８が開かなくなるというトラブルを解消できるので、店員の作業効率を向上させることができる。
【００５２】
（第２の実施の形態）
図１５は、本発明に係る第２の実施の形態の玉箱設置機構５００における図３のＡ−Ａ断面に対応する断面を示す図である。なお、第１の実施の形態の玉箱設置機構３００と同一の構成部分には同一の符号を付して、重複する説明を省略または簡略する。
【００５３】
図１５に示すように、玉箱設置機構３００は、パチンコ玉を貯留する玉箱１０６と、玉箱１０６を設置する玉箱設置部（台）１０５とを備え、玉箱１０６の底部の所定の面と、玉箱設置部（台）１０５の上面に形成された接触部材１５０とを弾性体１５１を介して嵌合させる。なお、ここでは、玉箱１０６の底部の所定の面を、玉箱１０６の底部におけるカウンタ１０４の長手方向の両端部に、カウンタ１０４の長手方向に対してほぼ垂直な方向に形成された玉箱基台１０６ｂの内側面としている。また、玉箱設置機構３００においては、玉箱１０６の底部の所定の面、接触部材１５０および弾性体１５１によって嵌合手段３１０が構成される。
【００５４】
接触部材１５０は、玉箱設置部（台）１０５の上面２５０ａに、カウンタ１０４の長手方向に対してほぼ垂直な方向に設けられた突条であり、玉箱基台１０６ｂの内側面と嵌合可能に形成されている。この接触部材１５０における少なくとも玉箱１０６の玉箱基台１０６ｂに対向する面は、玉箱基台１０６ｂと水平に形成されていることが好ましい。また、接触部材１５０は、例えば玉箱設置部（台）１０５と同じ材料で一体的に形成されてもよい。なお、接触部材１５０の高さは、玉箱１０６の底部外面１０６ａと玉箱設置部（台）１０５の上面２５０ａとの間の距離よりも短く形成される。また、接触部材１５０は、カウンタ１０４の長手方向に対してほぼ垂直な方向に、所定の間隔をおいて複数突設された突起体で構成されてもよい。
【００５５】
この接触部材１５０の外側の側面（玉箱基台１０６ｂと対向する側の側面）には、弾性体１５１が固着されている。この弾性体１５１は、例えば、ゴム材料やエラストマなどの薄板状の弾性材料で構成されている。なお、弾性体１５１は、接触部材１５０と対向する玉箱基台１０６ｂの側面に固着されてもよい。接触部材１５０と玉箱基台１０６ｂとの間に弾性体１５１を介在することで、接触部材１５０は玉箱１０６の中央側への押圧を受け、玉箱基台１０６ｂは玉箱１０６の外側への押圧を受けて、接触部材１５０と玉箱基台１０６ｂとが嵌合する。このため、例えば、遊技客が玉箱１０６の長手方向の一端部などに手をかけるなどして押圧しても、この一端部側の底部を支点として、玉箱１０６の長手方向の他端部が浮き上がることはない。
【００５６】
ここで、弾性体１５１の弾性力により、接触部材１５０を玉箱１０６の中央側へ押圧し、玉箱基台１０６ｂを玉箱１０６の外側へ押圧するために、カウンタ１０４の長手方向の弾性体１５１を備える接触部材１５０間の距離は、カウンタ１０４の長手方向の玉箱基台１０６ｂ内面間の距離Ｌ３よりも若干長く設定されることが好ましい。
【００５７】
なお、上記した第２の実施の形態の玉箱設置機構５００では、玉箱基台１０６ｂ内面間に、弾性体１５１を介して接触部材１５０を嵌合する構成の一例を示したが、玉箱基台１０６ｂ外面面間、すなわち玉箱基台１０６ｂの外側に接触部材１５０を設け、弾性体１５１を介して接触部材１５０と玉箱基台１０６ｂとを嵌合してもよい。
【００５８】
また、上記した、カウンタ１０４の長手方向に対してほぼ垂直な方向における玉箱基台１０６ｂ内面間に、弾性体１５１を介して接触部材１５０を嵌合する構成に、さらに、玉箱１０６の前面側や背面側の底部におけるカウンタ１０４の長手方向に沿う玉箱基台内面間に、弾性体を介して接触部材を嵌合する構成を付加してもよい。
【００５９】
また、嵌合手段３１０として、玉箱基台１０６ｂと接触部材１５０との間に弾性体１５１を介在させる代わりに、前述した第１の実施の形態の玉箱設置機構３００の他の構成における嵌合手段（図１０〜図１３参照）と同様の嵌合手段を備えてもよい。
【００６０】
上記したように、本発明に係る第２の実施の形態の玉箱設置機構５００によれば、玉箱１０６の底部および玉箱設置部（台）１０５の上面に、玉箱１０６と玉箱設置部（台）１０５とを着脱可能に嵌合する嵌合手段３１０を設けることによって、具体的には、例えば、玉箱１０６の底部における玉箱基台１０６ｂと、玉箱設置部（台）１０５の上面に形成された接触部材１５０とを弾性体１５１を介して嵌合させることによって、簡単に玉箱１０６が玉箱設置部（台）１０５から外れることを防止することができる。このため、例えば、遊技客が玉箱１０６の長手方向の一端部などに手をかけるなどして押圧しても、この一端部側の底部を支点として、玉箱１０６の長手方向の他端部が浮き上がることはない。これによって、玉箱１０６の玉箱シャッタ１０８を常時開くことが可能となる。また、玉箱１０６の浮き上がりにより、玉箱１０６の玉箱シャッタ１０８が開かなくなるというトラブルを解消できるので、店員の作業効率を向上させることができる。
【００６１】
また、第１の実施の形態の場合と同様に、計数装置１０に上記した玉箱設置機構５００を備えることができる。この玉箱設置機構５００を有する計数装置１０では、上記した玉箱設置機構５００と同様の作用効果を得ることができる。
【００６２】
なお、玉箱設置部（台）１０５において、玉箱１０６の底部と接触する例を示したが、玉箱１０６の上部の把手側を所定の位置に配置する構成とする場合、これまで例示した嵌合手段３１０を、玉箱設置部（台）１０５とこの把手側に設けてもよい。この場合、玉箱設置部（台）１０５は、遊技機下方であってカウンタ１０４上方の島設備側に設けられる。そして、この場合においても第１の実施の形態、第２の実施の形態と同様の作用効果が得られ、例えば、遊技客が玉箱１０６の長手方向の一端部などに手をかけるなどして押圧しても、この一端部側の底部を支点として、玉箱１０６の長手方向の他端部が浮き上がることはない。
【００６３】
以上、本発明を実施の形態により具体的に説明したが、本発明はこれらの実施の形態にのみ限定されるものではなく、その要旨を逸脱しない範囲で種々変更可能である。
【図面の簡単な説明】
【００６４】
【図１】本発明に係る第１の形態の玉箱設置機構を有する計数装置を備えたパチンコ機を複数並設してなるパチンコ島を示す斜視図。
【図２】図１に示したパチンコ島の側面図。
【図３】カウンタ上に各パチンコ機に対応して設けられた玉箱設置部（台）および玉箱を示す斜視図。
【図４】玉箱を取り除いた状態のカウンタ上に設けられた玉箱設置部（台）を示す斜視図。
【図５】計数装置側にパチンコ玉を導出する際の動作の説明をするための玉箱設置部（台）の斜視図。
【図６】計数装置側にパチンコ玉を導出する際の動作の説明をするための玉箱設置部（台）の斜視図。
【図７】玉箱の底部の構成を示す平面図。
【図８】図３のＡ−Ａ断面を示す図。
【図９】玉箱の底部の他の構成を示す平面図。
【図１０】嵌合手段の他の構成における図３のＡ−Ａ断面に対応する断面を示す図。
【図１１】図１０においてＸで示した部分の断面を拡大した図。
【図１２】嵌合手段の他の構成における図３のＡ−Ａ断面に対応する断面を示す図。
【図１３】図１２においてＹで示した部分の断面を拡大した図。
【図１４】玉箱設置部（台）に計数装置を取り付ける際のカウンタの長手方向からの平面図。
【図１５】本発明に係る第２の実施の形態の玉箱設置機構における図３のＡ−Ａ断面に対応する断面を示す図。
【符号の説明】
【００６５】
１０…計数装置、２０…パチンコ機、３０…台間機、４０…データ表示機、１００…パチンコ島、１０１…板、１０２…幕板、１０３…椅子、１０４…カウンタ、１０５…玉箱設置部（台）、１０６…玉箱、１０６ａ…底部外面、１０８…玉箱シャッタ、１０９…嵌合凹部、１１０…弾性体、２０４…シャッタ操作部、２０５…表示機、２１０…アウト玉排出部、２１１…アウトボックス、２１２…アウトメータ、２１３…排出パイプ、２１４…排出樋、２１５…入力コネクタ、２１６…下部入力コネクタ、２１８…誘導通路、２２０…腰板、２５０…基板、２５０ａ…上面、２５１…嵌合凸部、１０７，２５２，２５６ａ…開口部、２５３…玉箱設置部（台）シャッタ、２５４…シャッタ開閉操作部、２５４ａ…操作部、２５４ｂ…回転軸、２５４ｃ…回転部材、２５４ｄ…バネ部材、３００…玉箱設置機構、３１０…嵌合手段、２５５，４６０…接続コネクタ、２５６…係止板、４４１…係止部。
【図１】
2008055059.tif 000003
【図２】
2008055059.tif 000004
【図３】
2008055059.tif 000005
【図４】
2008055059.tif 000006
【図５】
2008055059.tif 000007
【図６】
2008055059.tif 000008
【図７】
2008055059.tif 000009
【図８】
2008055059.tif 000010
【図９】
2008055059.tif 000011
【図１０】
2008055059.tif 000012
【図１１】
2008055059.tif 000013
【図１２】
2008055059.tif 000014
【図１３】
2008055059.tif 000015
【図１４】
2008055059.tif 000016
【図１５】
2008055059.tif 000017